(57)【要約】【課題】映像処理システムの検査において、テスト画像を保持するメモリの容量削減と期待値を保持しておくメモリの容量削減とを両立し、かつ、確実性の高い不具合検出処理を実施する。【解決手段】変換部１２は、変換パラメータで画像成分を変化させることにより、検査用の１つのテスト画像から複数又は１つのテスト画像を生成する。また、第１の符号化部１３は、生成した一のテスト画像に対する正常動作保証の映像処理システム３と検査対象の映像処理システム５によるそれぞれの映像処理後のテスト画像から一意の符号値をそれぞれ算出する。その後、判定部１５は、算出した２つの符号値を比較した結果に基づき検査対象の映像処理システム５についての良否を判定する。【選択図】図１
2018120258.tif 000002
【特許請求の範囲】
【請求項１】
映像処理システムを検査する検査システムにおいて、
変換パラメータで画像成分を変化させることにより、検査用の１つのテスト画像から複数又は１つのテスト画像を生成する変換部と、
生成した一のテスト画像に対する正常動作保証の映像処理システムと検査対象の映像処理システムによるそれぞれの映像処理後のテスト画像から一意の符号値をそれぞれ算出する第１の符号化部と、
算出した２つの符号値を比較した結果に基づき前記検査対象の映像処理システムについての良否を判定する判定部と、
を備えることを特徴とする検査システム。
【請求項２】
映像処理システムを検査する検査システムにおいて、
変換パラメータで画像成分を変化させることにより、検査用の１つのテスト画像から複数又は１つのテスト画像を生成する変換部と、
生成した一のテスト画像に対する検査対象の映像処理システムによる映像処理後のテスト画像から一意の符号値を算出する第１の符号化部と、
前記一のテスト画像から一意の符号値を算出する第２の符号化部と、
算出した２つの符号値を比較した結果に基づき前記検査対象の映像処理システムについての良否を判定する判定部と、
を備えることを特徴とする検査システム。
【請求項３】
前記変換部は、前記検査用のテスト画像の画像成分をライン毎に変化させることにより、複数の検証パターンが含まれる１つのテスト画像を生成し、
前記判定部は、
当該１つのテスト画像に基づきライン毎に算出した前記２つの符号値をライン毎に比較することを特徴とする請求項１又は２に記載の検査システム。
【請求項４】
前記複数の検証パターンは、
前記複数の検証パターンが含まれる１つのテスト画像において、変化させる画像成分の種類が異なる又は変化させる画像成分の変化度が異なることを特徴とする請求項３に記載の検査システム。
【請求項５】
検査システムで行う映像処理システムの検査方法において、
変換パラメータで画像成分を変化させることにより、検査用の１つのテスト画像から複数又は１つのテスト画像を生成するステップと、
生成した一のテスト画像に対する正常動作保証の映像処理システムと検査対象の映像処理システムによるそれぞれの映像処理後のテスト画像から一意の符号値をそれぞれ算出するステップと、
算出した２つの符号値を比較した結果に基づき前記検査対象の映像処理システムについての良否を判定するステップと、
を行うことを特徴とする検査方法。
【請求項６】
検査システムで行う映像処理システムの検査方法において、
変換パラメータで画像成分を変化させることにより、検査用の１つのテスト画像から複数又は１つのテスト画像を生成するステップと、
生成した一のテスト画像に対する検査対象の映像処理システムによる映像処理後のテスト画像から一意の符号値を算出するステップと、
前記一のテスト画像から一意の符号値を算出するステップと、
算出した２つの符号値を比較した結果に基づき前記検査対象の映像処理システムについての良否を判定するステップと、
を行うことを特徴とする検査方法。
【請求項７】
請求項１乃至４のいずれかに記載の検査システムとしてコンピュータを機能させることを特徴とする検査プログラム。
【発明の詳細な説明】
【技術分野】
【０００１】
本発明は、映像処理システムを検査する技術に関する。
【背景技術】
【０００２】
開発又は製造した映像処理システムを検査する場合、一般的に検査システムが用いられる。検査システムでは、検査用のテスト画像を検査対象の映像処理システムへ入力し、その映像処理システムから出力された画像（映像処理後のテスト画像）についての全画素値を所定の期待値と比較することにより、映像処理システムが正常に動作しているかを判断する。
【０００３】
近年では映像処理システムの複雑化に伴い、その映像処理システムの検査時間及び検査に必要なハードウェアリソースが増大し、検査に必要なテスト画像の数が膨大になっている。それゆえ、現在では、映像処理システムの検査時間及び検査を行うためのハードウェアリソースの増大を抑え、かつ、不具合検出の確実性が高い検査方法が切望されている。
【先行技術文献】
【特許文献】
【０００４】
【特許文献１】特開２００７−１０１６９１号公報
【発明の概要】
【発明が解決しようとする課題】
【０００５】
しかし、従来の検査方法では、映像処理後のテスト画像について全ての画素値に対して期待値との比較処理を行うため、検査用のテスト画像の画像サイズ及び数の増加に比例して、テスト画像を保持するメモリの容量が増大し、期待値を保持しておくメモリの容量も増大してしまう。
【０００６】
この課題に対して特許文献１では、映像処理後のテスト画像の全範囲又は指定範囲に対してＣＲＣ（Cyclic Redundancy Check）演算を施してチェックコードを求め、そのチェックコードを期待値と比較する検査方法を開示する。この検査方法の場合、必要な期待値はＣＲＣ符号と同様に画像情報の圧縮値となるので、その期待値を保持しておくメモリの容量は削減できる。しかしながら、テスト画像を保持するメモリの容量は削減できない。
【０００７】
本発明は、上記事情を鑑みてなされたものであり、映像処理システムの検査において、テスト画像を保持するメモリの容量削減と期待値を保持しておくメモリの容量削減とを両立し、かつ、確実性の高い不具合検出処理を実施することを目的とする。
【課題を解決するための手段】
【０００８】
以上の課題を解決するため、請求項１に係る検査システムは、映像処理システムを検査する検査システムにおいて、変換パラメータで画像成分を変化させることにより、検査用の１つのテスト画像から複数又は１つのテスト画像を生成する変換部と、生成した一のテスト画像に対する正常動作保証の映像処理システムと検査対象の映像処理システムによるそれぞれの映像処理後のテスト画像から一意の符号値をそれぞれ算出する第１の符号化部と、算出した２つの符号値を比較した結果に基づき前記検査対象の映像処理システムについての良否を判定する判定部と、を備えることを要旨とする。
【０００９】
請求項２に係る検査システムは、映像処理システムを検査する検査システムにおいて、変換パラメータで画像成分を変化させることにより、検査用の１つのテスト画像から複数又は１つのテスト画像を生成する変換部と、生成した一のテスト画像に対する検査対象の映像処理システムによる映像処理後のテスト画像から一意の符号値を算出する第１の符号化部と、前記一のテスト画像から一意の符号値を算出する第２の符号化部と、算出した２つの符号値を比較した結果に基づき前記検査対象の映像処理システムについての良否を判定する判定部と、を備えることを要旨とする。
【００１０】
請求項３に係る検査システムは、請求項１又は２に記載の検査システムにおいて、前記変換部は、前記検査用のテスト画像の画像成分をライン毎に変化させることにより、複数の検証パターンが含まれる１つのテスト画像を生成し、前記判定部は、当該１つのテスト画像に基づきライン毎に算出した前記２つの符号値をライン毎に比較することを要旨とする。
【００１１】
請求項４に係る検査システムは、請求項３に記載の検査システムにおいて、前記複数の検証パターンは、前記複数の検証パターンが含まれる１つのテスト画像において、変化させる画像成分の種類が異なる又は変化させる画像成分の変化度が異なることを要旨とする。
【００１２】
請求項５に係る検査方法は、検査システムで行う映像処理システムの検査方法において、変換パラメータで画像成分を変化させることにより、検査用の１つのテスト画像から複数又は１つのテスト画像を生成するステップと、生成した一のテスト画像に対する正常動作保証の映像処理システムと検査対象の映像処理システムによるそれぞれの映像処理後のテスト画像から一意の符号値をそれぞれ算出するステップと、算出した２つの符号値を比較した結果に基づき前記検査対象の映像処理システムについての良否を判定するステップと、を行うことを要旨とする。
【００１３】
請求項６に係る検査方法は、検査システムで行う映像処理システムの検査方法において、変換パラメータで画像成分を変化させることにより、検査用の１つのテスト画像から複数又は１つのテスト画像を生成するステップと、生成した一のテスト画像に対する検査対象の映像処理システムによる映像処理後のテスト画像から一意の符号値を算出するステップと、前記一のテスト画像から一意の符号値を算出するステップと、算出した２つの符号値を比較した結果に基づき前記検査対象の映像処理システムについての良否を判定するステップと、を行うことを要旨とする。
【００１４】
請求項７に係る検査プログラムは、請求項１乃至４のいずれかに記載の検査システムとしてコンピュータを機能させることを要旨とする。
【発明の効果】
【００１５】
本発明によれば、テスト画像を保持するメモリの容量削減と期待値を保持しておくメモリの容量削減とを両立し、かつ、確実性の高い不具合検出処理を実施できる。
【図面の簡単な説明】
【００１６】
【図１】第１の実施形態に係る検査システムの機能ブロック構成を示す図である。
【図２】第１の実施形態で行う期待値の取得手順を示す図である。
【図３】第１の実施形態で行う検査対象の映像処理システムに対する動作検証手順を示す図である。
【図４】第１の実施形態で行う検査対象の映像処理システムに対する動作検証手順を示す図である。
【図５】第２の実施形態に係る検査システムの機能ブロック構成を示す図である。
【図６】第２の実施形態で行う検査対象の映像処理システムに対する動作検証手順を示す図である。
【図７】第１の実施形態の変形例で行う期待値の取得手順と検査対象の映像処理システムに対する動作検証手順を示す図である。
【図８】変換部の機能ブロック構成例を示す図である。
【図９】変換設定情報例を示す図である。
【発明を実施するための形態】
【００１７】
以下、本発明を実施する一実施の形態について図面を用いて説明する。
【００１８】
＜第１の実施形態＞
第１の実施形態に係る検査システム１の機能ブロック構成を図１に示す。この検査システム１は、テスト画像記憶部１１と、変換部１２と、第１の符号化部１３と、期待値記憶部１４と、判定部１５と、を備えて構成される。
【００１９】
テスト画像記憶部１１は、映像処理システムを検査するために用いる１つのテスト画像を記憶しておく機能部である。
【００２０】
変換部１２は、その検査用の１つのテスト画像を入力し、変換パラメータに基づき画像成分を変化させることにより、その１つのテスト画像から複数又は１つのテスト画像を生成し、生成した一のテスト画像を正常動作保証の映像処理システム３と検査対象の映像処理システム５へそれぞれ入力する機能部である。
【００２１】
第１の符号化部１３は、正常動作保証の映像処理システム３から出力された映像処理後のテスト画像から一意の符号値を算出し、その符号値を上記変換パラメータに対応する期待値として期待値記憶部１４に記憶させる機能部である。また、第１の符号化部１３は、検査対象の映像処理システム５から出力された映像処理後のテスト画像から一意の符号値を算出する機能部である。
【００２２】
期待値記憶部１４は、その期待値を変換パラメータに関連付けて記憶しておく機能部である。
【００２３】
判定部１５は、検査対象の映像処理システム５に係る符号値を正常動作保証の映像処理システム３に係る符号値（期待値）と比較し、その比較結果に基づき検査対象の映像処理システム５についての良否を判定する機能部である。
【００２４】
なお、上述した検査システム１の構成は一例である。また、検査システム１の機能を複数の装置で分担してもよい。例えば、変換部１２で行うテスト画像の変換処理を画像変換装置で行い、変換部１２以外で行う処理を検査装置で行うようにしてもよい。また、その検査装置に対して記憶装置を接続させ、その記憶装置をテスト画像記憶部１１としてもよい。
【００２５】
次に、映像処理システムの検査方法について説明する。この検査方法では、期待値を取得する手順（手順１）と、検査対象の映像処理システム５に対する動作検証を行う手順（手順２，手順３）と、を実行する。
【００２６】
まず、図２を参照しながら手順１について説明する。
【００２７】
（手順１−１）検査用のテスト画像Ａを変換部１２に入力し、所定の変換パラメータＰ１に基づき画像成分を変化させることにより、そのテスト画像Ａからテスト画像Ａ’（変換後のテスト画像Ａ’）を生成する。その後、そのテスト画像Ａ’を正常動作保証の映像処理システム３へ入力し、その正常動作保証の映像処理システム３から出力された映像処理後のテスト画像Ｂを第１の符号化部１３に入力する。そして、その映像処理後のテスト画像ＢからＣＲＣ（Cyclic Redundancy Check）符号を算出し、そのＣＲＣ符号を変換パラメータＰ１に対応する期待値として期待値記憶部１４に記憶させる。
【００２８】
（手順１−２）続いて、同じ検査用のテスト画像Ａを変換部１２に入力し、変換パラメータＰ１を変更して変更後の変換パラメータＰ２に基づき画像成分を変化させることにより、そのテスト画像Ａからテスト画像Ａ’’（変換後のテスト画像Ａ’’）を生成する。その後、そのテスト画像Ａ’’を正常動作保証の映像処理システム３へ入力し、その正常動作保証の映像処理システム３から出力された映像処理後のテスト画像Ｃを第１の符号化部１３に入力する。そして、その映像処理後のテスト画像ＣからＣＲＣ符号を算出し、そのＣＲＣ符号を変換パラメータＰ２に対応する期待値として期待値記憶部１４に記憶させる。
【００２９】
次に、図３を参照しながら手順２について説明する。
【００３０】
（手順２）手順１の後、同じ検査用のテスト画像Ａを変換部１２に入力し、変換パラメータＰ２を変換パラメータＰ１に戻して変更後の変換パラメータＰ１に基づき画像成分を変化させることにより、そのテスト画像Ａからテスト画像Ａ’を生成する。その後、そのテスト画像Ａ’を検査対象の映像処理システム５へ入力し、その検査対象の映像処理システム５から出力された映像処理後のテスト画像Ｂ（ここでは、手順１−１で正常動作保証の映像処理システム３から出力された映像処理後のテスト画像Ｂと同じとする）を第１の符号化部１３に入力する。そして、その映像処理後のテスト画像ＢからＣＲＣ符号を算出し、判定部１５において、現在の変換パラメータＰ１に対応する期待値を期待値記憶部１４から取得し、算出したＣＲＣ符号（検査対象の映像処理システム５に係るＣＲＣ符号）と比較する。この比較結果は一致する。
【００３１】
次に、図４を参照しながら手順３について説明する。
【００３２】
（手順３）手順２の後、同じ検査用のテスト画像Ａを変換部１２に入力し、変換パラメータＰ１を変換パラメータＰ２に変更して変更後の変換パラメータＰ２に基づき画像成分を変化させることにより、そのテスト画像Ａからテスト画像Ａ’’を生成する。その後、そのテスト画像Ａ’’を検査対象の映像処理システム５へ入力し、その検査対象の映像処理システム５から出力された映像処理後のテスト画像Ｃ’（ここでは、手順１−２で正常動作保証の映像処理システム３から出力された映像処理後のテスト画像Ｃと異なるとする）を第１の符号化部１３に入力する。そして、その映像処理後のテスト画像Ｃ’からＣＲＣ符号を算出し、判定部１５において、現在の変換パラメータＰ２に対応する期待値を期待値記憶部１４から取得し、算出したＣＲＣ符号（検査対象の映像処理システム５に係るＣＲＣ符号）と比較する。この比較結果は一致しない。
【００３３】
最後に、手順２と手順３の比較結果に基づき、検査対象の映像処理システム５については動作不具合ありと判定する。その後、映像処理システムの良否判定結果を検査者へ通知すると共に、変換パラメータＰ１を用いた場合には不具合はなく、変換パラメータＰ２を用いた場合には不具合があることを併せて通知してもよい。
【００３４】
以上より、第１の実施形態によれば、変換パラメータで画像成分を変化させることにより、検査用の１つのテスト画像から複数のテスト画像を生成するので、テスト画像記憶部１１の記憶容量は１つ分のテスト画像の容量で足りる。それゆえ、テスト画像を保持するメモリの容量を削減できる。
【００３５】
また、第１の実施形態によれば、正常動作保証の映像処理システム３による映像処理後のテスト画像からＣＲＣ符号を算出し、そのＣＲＣ符号を期待値とする、つまりテスト画像よりもデータ量の小さいＣＲＣ符号を期待値とするので、期待値を保持しておくメモリの容量を削減できる。
【００３６】
また、第１の実施形態によれば、検査対象の映像処理システム５に係るＣＲＣ符号を正常動作保証の映像処理システム３に係るＣＲＣ符号（期待値）と比較した結果に基づき、その検査対象の映像処理システム５についての良否を判定するので、確実性の高い不具合検出処理を実施できる。
【００３７】
＜第２の実施形態＞
第２の実施形態では、映像処理システムの正常動作時における映像処理後のテスト画像が映像処理前のテスト画像と同一となる場合について説明する。
【００３８】
第２の実施形態に係る検査システム１の機能ブロック構成を図５に示す。この検査システム１は、テスト画像記憶部１１と、変換部１２と、第１の符号化部１３と、判定部１５と、第２の符号化部１６と、を備えて構成される。第２の符号化部１６は、変換部１２から出力された一のテスト画像（映像処理前のテスト画像）から一意の符号値を算出する機能部である。
【００３９】
第２の実施形態では、映像処理システムによる映像処理後のテスト画像が映像処理前のテスト画像と同一となることを前提とするため、正常動作保証の映像処理システムを用いて正常動作時の期待値を予め取得しておく必要はない。それゆえ、第２の実施形態において正常動作保証の映像処理システムは不要であり、また、判定部１５は、第２の符号化部１６によって映像処理前のテスト画像から算出された符号値を期待値とし、その期待値を比較元として検査対象の映像処理システム５に係る符号値と比較する。
【００４０】
なお、判定部１５と第２の符号化部１６以外の機能部は、第１の実施形態と同様の機能を備える。また、第１の符号化部１３と第２の符号化部１６については、両機能部ともテスト画像からＣＲＣ符号を算出するという共通の機能を備えるので、１つの機能部で実現してもよい。
【００４１】
次に、図６を参照しながら映像処理システムの検査方法について説明する。この検査方法では、正常動作保証の映像処理システムを用いて期待値を取得する手順（第１の実施形態でいう手順１）は不要であり、検査対象の映像処理システム５に対する動作検証を行う手順（手順１，手順２）を実行する。
【００４２】
まず、手順１について説明する。
【００４３】
（手順１）検査用のテスト画像Ａを変換部１２に入力し、所定の変換パラメータＰ１に基づき画像成分を変化させることにより、そのテスト画像Ａからテスト画像Ａ’を生成し、そのテスト画像Ａ’を検査対象の映像処理システム５と第２の符号化部１６へ入力する。その後、その検査対象の映像処理システム５から出力された映像処理後のテスト画像Ａ’（ここでは、検査対象の映像処理システム５は正常動作するとする）を第１の符号化部１３に入力し、第１の符号化部１３において、その映像処理後のテスト画像Ａ’からＣＲＣ符号を算出する。また、第２の符号化部１６において、映像処理前のテスト画像Ａ’からＣＲＣ符号を算出する。そして、判定部１５において、第２の符号化部１６からのＣＲＣ符号を期待値とし、第１の符号化部１３からのＣＲＣ符号（検査対象の映像処理システム５に係るＣＲＣ符号）と比較する。この比較結果は一致する。
【００４４】
次に、手順２について説明する。
【００４５】
（手順２）同じ検査用のテスト画像Ａを変換部１２に入力し、変換パラメータＰ１を変更して変更後の変換パラメータＰ２に基づき画像成分を変化させることにより、そのテスト画像Ａからテスト画像Ａ’’を生成し、そのテスト画像Ａ’’を検査対象の映像処理システム５と第２の符号化部１６へ入力する。その後、その検査対象の映像処理システム５から出力された映像処理後のテスト画像Ｃ’（ここでは、検査対象の映像処理システム５は異常動作するとする）を第１の符号化部１３に入力し、第１の符号化部１３において、その映像処理後のテスト画像Ｃ’からＣＲＣ符号を算出する。また、第２の符号化部１６において、映像処理前のテスト画像Ａ’’からＣＲＣ符号を算出する。そして、判定部１５において、第２の符号化部１６からのＣＲＣ符号を期待値とし、第１の符号化部１３からのＣＲＣ符号（検査対象の映像処理システム５に係るＣＲＣ符号）と比較する。この比較結果は一致しない。
【００４６】
以上より、第２の実施形態によれば、正常動作時における映像処理後のテスト画像が映像処理前のテスト画像と同一となる場合、映像処理前のテスト画像から算出した期待値をそのまま利用できるので、正常動作保証の映像処理システムを用いて正常動作時の期待値を予め取得しておく手順を経る必要がない。それゆえ、第１の実施形態よりも映像処理システムの検査時間を短縮できる。
【００４７】
また、第２の実施形態であっても、検査用の１つのテスト画像から複数のテスト画像を生成し、テスト画像よりもデータ量の小さいＣＲＣ符号を期待値とするので、テスト画像を保持するメモリの容量を削減でき、かつ、期待値を保持しておくメモリの容量を削減できる。
【００４８】
＜第１及び第２の実施形態の変形例＞
第１及び第２の実施形態の場合、変換パラメータを変更する毎に符号値と比較するので、変換パラメータの変更回数に比例して、映像処理システムを検査する時間が増大する。そこで、本変形例では、その検査時間を短縮する方法について説明する。
【００４９】
本変形例に係る検査システムの機能ブロック構成は、第１又は第２の実施形態と同様である。本変形例では、映像処理システムの検査時間を短縮するため、変換部１２は、ライン毎の変換パラメータにより検査用のテスト画像の画像成分をライン毎に変化させ、それにより複数の検証パターンが含まれる１つのテスト画像を生成する。また、第１の符号化部１３と第２の符号化部１６は、映像処理後又は映像処理前のテスト画像から符号値をライン毎に算出し、判定部１５は、対応するライン毎に符号値を比較する。
【００５０】
次に、図７を参照しながら、第１の実施形態で説明した映像処理システムの検査方法の変形例について説明する。この変形例の検査方法では、期待値を取得する手順（手順１）と、検査対象の映像処理システム５に対する動作検証を行う手順（手順２）と、を実行する。１つのテスト画像には複数の検証パターンが含まれるので、第１の実施形態で説明した手順３（手順１−２を含む）は不要である。
【００５１】
まず、手順１について説明する。
【００５２】
（手順１）検査用のテスト画像Ａを変換部１２に入力し、各ラインの変換パラメータＰ１〜Ｐｎに基づき画像成分をライン毎に変化させることにより、そのテスト画像Ａから、ｎ個（ｎは自然数）の検証パターンが含まれるテスト画像Ａ’を生成する。その後、そのテスト画像Ａ’を正常動作保証の映像処理システム３へ入力し、その正常動作保証の映像処理システム３から出力された映像処理後のテスト画像Ｂを第１の符号化部１３に入力する。そして、その映像処理後のテスト画像ＢからＣＲＣ符号をライン毎に算出して、それらのＣＲＣ符号を変換パラメータＰ１〜Ｐｎに対応する期待値として期待値記憶部１４に記憶させる。
【００５３】
次に、手順２について説明する。
【００５４】
（手順２）手順１の後、同じ検査用のテスト画像Ａを変換部１２に入力し、手順１と同様に各ラインの変換パラメータＰ１〜Ｐｎに基づき画像成分を変化させることにより、そのテスト画像Ａから、ｎ個の検証パターンが含まれるテスト画像Ａ’を生成する。その後、そのテスト画像Ａ’を検査対象の映像処理システム５へ入力し、その検査対象の映像処理システム５から出力された映像処理後のテスト画像Ｂ（ここでは、手順１で正常動作保証の映像処理システム３から出力された映像処理後のテスト画像Ｂと同じとする）を第１の符号化部１３に入力する。そして、その映像処理後のテスト画像ＢからＣＲＣ符号をライン毎に算出し、判定部１５において、現在の変換パラメータＰ１〜Ｐｎに対応する期待値を期待値記憶部１４から取得し、算出したＣＲＣ符号（検査対象の映像処理システム５に係るＣＲＣ符号）とライン毎に比較する。この比較結果は一致する。
【００５５】
なお、第２の実施形態で説明した映像処理システムの検査方法の変形例についても同様である。この場合、第２の符号化部１６は、映像処理前のテスト画像からＣＲＣ符号をライン毎に算出し、判定部１５は、その第２の符号化部１６で算出されたライン毎のＣＲＣ符号を期待値とする。
【００５６】
以上より、本変形例によれば、検査用のテスト画像の画像成分をライン毎に変化させた１つのテスト画像（ｎ個の検証パターンが集約された１つのテスト画像）を用いて検査するので、１つのテスト画像からｎ個のテスト画像を逐次生成しなければならない第１及び第２の実施形態と比べて、正常動作時のＣＲＣ符号取得時間及び検査時のＣＲＣ符号比較時間をｎ分の１に短縮でき、映像処理システムの検査時間を短縮できる。
【００５７】
＜テスト画像の変換方法＞
第１及び第２の実施形態で説明した変換部１２の機能について詳述する。変換部１２は、検査用のテスト画像の画像成分を画像全体又はライン毎に変化させて１つ以上のテスト画像を生成するが、その変化させる画像成分としては、例えば輝度や色相などが挙げられる。それゆえ、変換部１２は、それらの画像成分を変換可能な処理部を備える。
【００５８】
変換部１２の機能ブロック構成の例を図８に示す。この変換部１２は、予め設定された変換パラメータに基づき、入力されたテスト画像の輝度を変更する輝度変換処理部１２ａと、そのテスト画像の色相を変更する色相変換処理部１２ｂと、そのテスト画像に対してローパスフィルタ処理を行う周波数フィルタ処理部１２ｃと、入力されたテスト画像に含まれるＲＧＢチャネル映像信号の位相をずらす色ズレ処理部１２ｄと、そのテスト画像に対してドットノイズを付加するドットノイズ付加処理部１２ｅと、そのテスト画像に対して時間経過に伴い周波数が次第に高くなるＳｉｎ波（水平スイープ波）を重畳する水平スイープ波重畳処理部１２ｆと、を備えて構成される。
【００５９】
特に、色ズレ処理部１２ｄでは、テスト画像に含まれるＧチャネル映像信号に対して、Ｒチャネル映像信号とＢチャネル映像信号の位相をずらす処理を行う。そのずらす量については、例えば、予め指定された設定パラメータ、処理対象画素の水平中心位置からの距離に基づき決定する。また、ドットノイズ付加処理部１２ｅでは、例えば、１ラインあたりの画素抜け又は白とびの画素数を決定し、決定したそれらのドットノイズを各ラインに付加する。また、水平スイープ波重畳処理部１２ｆで重畳される水平スイープ波については、設定パラメータを適宜変更することにより、その水平スイープ波を成すＳｉｎ波の周波数ピーク位置を変更し、そのピーク数を変更可能である。
【００６０】
それらの全ての処理部は、図８に示したようにスイッチを介して輝度変換処理部１２ａから順に直列的に接続されており、オン／オフ制御部１２ｇにより１つ以上のスイッチがオン制御されることにより、少なくとも１つの処理部が選択される。その選択により有効化された１つ以上の処理部では、自身の処理部に対応する複数の変換パラメータのうち予め指定された変換パラメータに基づきテスト画像の画像成分を変化させる。
【００６１】
例えば、輝度変換処理部１２ａが有効化された場合、複数の変換パラメータＰ１−１，Ｐ１−２，…から指定された指定変換パラメータに基づきテスト画像の輝度を変化させる。なお、「Ｐ１−１」の「Ｐ１」は、画像変換の種類を識別するための符号（輝度、色相、周波数などの画像成分を変化させる処理方法の種類を識別するための符号）であり、「Ｐ１−１」の「１」は、「Ｐ１」の画像成分の変化度を直接又は間接的に示すための符号である。
【００６２】
複数の画像成分のうちいずれを変化させるか、変化させる種類の画像成分をどの程度変化させるか、更にはライン単位で変化させる場合にはどのラインを変更対象とするかについては、検査者は任意に設定可能である。オン／オフ制御部１２ｇと各処理部（輝度変換処理部１２ａ〜水平スイープ波重畳処理部１２ｆ）は、検査者により予め設定された変換設定情報に基づき、入力されたテスト画像の画像成分を画像単位又はライン単位で変化させる。その変換設定情報の例を図９に示す。変換設定情報には、検査者により設定されたオン／オフ制御と指定変換パラメータとの組み合わせが登録されている。
【００６３】
これにより、例えば、１つ目のラインについては輝度のみを変化させ、２つ目のラインについては色相のみを変化させることができる。その他、１つ目のラインについては輝度と色相を変化させ、２つ目のラインについては輝度のみを変化させることもできる。これ以外にも、全てのラインについて輝度変更のみを行い、１つ目のラインについては輝度値を高くし、２つ目のラインについては輝度を低くするといった変換も可能である。
【００６４】
なお、上述した画像成分の種類及び数は一例である。その例示以外の種類の画像成分を変化させてもよい。また、変換部１２を構成する全ての処理部（輝度変換処理部１２ａ〜オン／オフ制御部１２ｇ，スイッチ群）をソフトウェアプログラムで実現可能である。特にスイッチについてはｉｆ文などの条件分岐型の命令を用いることで実現できる。
【００６５】
最後に、本実施の形態で説明した検査システム１は、ＣＰＵとメモリを備えたコンピュータで実現できる。また、その検査システム１としてコンピュータを機能させるための検査プログラム、その検査プログラムの記憶媒体を作成することも可能である。
【符号の説明】
【００６６】
１…検査システム
１１…テスト画像記憶部
１２…変換部
１２ａ…輝度変換処理部
１２ｂ…色相変換処理部
１２ｃ…周波数フィルタ処理部
１２ｄ…色ズレ処理部
１２ｅ…ドットノイズ付加処理部
１２ｆ…水平スイープ波重畳処理部
１２ｇ…オン／オフ制御部
１３…第１の符号化部
１４…期待値記憶部
１５…判定部
１６…第２の符号化部
３…正常動作保証の映像処理システム
５…検査対象の映像処理システム
【図１】
2018120258.tif 000003
【図２】
2018120258.tif 000004
【図３】
2018120258.tif 000005
【図４】
2018120258.tif 000006
【図５】
2018120258.tif 000007
【図６】
2018120258.tif 000008
【図７】
2018120258.tif 000009
【図８】
2018120258.tif 000010
【図９】
2018120258.tif 000011